(57)【要約】【課題】簡易な構造で、使い易く、且つ穿刺事故を確実に防止することができるヒューバー針抜取補助具を提供する。【解決手段】針基部６１０及び穿刺部６２０からなる略Ｌ字型注射針６００とウイング７００とを備えるヒューバー針８００を、抜き取る際に使用するヒューバー針抜取補助具９００であって、四角形状部材であり、第１方向の一方の端辺の中央部に切込部１１０を備えている下敷板１００と、他方の端辺を谷折線１３０として板状部材を谷折りすると板状部材が各々ウイング７００の上側に位置する上覆板２００ａ，ｂと、を備える。下敷板１００は、切込部１１０の延長線上に山折線１２０を備える。一対の板状部材が谷折線１３０で折り畳まれた状態で、山折線１２０にて下敷板１００を山折りする。【選択図】図１
2014233537.tif 000002
【特許請求の範囲】
【請求項１】
針基部及び穿刺部からなる略Ｌ字型注射針と、前記針基部の略平行且つ前記穿刺部の略垂直方向に前記針基部の両側に張り出して前記針基部に設けられ、前記穿刺部を患者の皮膚に差し入れる使用時に前記患者の皮膚に接する折りたたみ可能な一対の羽根部材であるウイングと、を備えるヒューバー針を、患者の皮膚から抜き取る際に使用するヒューバー針抜取補助具であって、
略四角形状部材であり、第１方向の一方の端辺の略中央部に切込部を備えており、針刺し状態の穿刺部が前記切込部に差し込まれると前記ウイングの下側に位置する下敷板と、
前記下敷板の第１方向の他方の端辺に一定の間隔をあけて設けられた一対の板状部材であり、前記他方の端辺を谷折線として各々の板状部材を谷折りすると前記一対の板状部材が各々前記ウイングの上側に位置する上覆板と、を備え、
前記下敷板は、前記切込部の延長線上にある山折線を備えており、
前記下敷板において、前記山折線から四角形の第２方向の端辺までの長さは、前記穿刺部の長さよりも長く規定されており、
一対の板状部材が各々前記ウイングの上側に位置するように前記谷折線で折り畳まれた状態で、前記穿刺部を覆うように前記山折線にて前記下敷板を山折りしながら、前記穿刺部を患者の皮膚から抜き取ることを特徴とするヒューバー針抜取補助具。
【請求項２】
前記切込部は、コ字状の切り込みであることを特徴とする請求項１に記載のヒューバー針抜取補助具。
【請求項３】
前記切込部は、Ｖ字状の切り込みであることを特徴とする請求項１に記載のヒューバー針抜取補助具。
【請求項４】
前記下敷板の第２方向の端辺の長さと前記上覆板の第２方向の端辺の長さとが同じである特徴とする請求項１乃至３の何れか１項に記載のヒューバー針抜取補助具。
【発明の詳細な説明】
【技術分野】
【０００１】
本発明は、CVポートに差し込まれるヒューバー針を抜き取るためのヒューバー針抜取補助具に関する。
【背景技術】
【０００２】
CVポートは、皮膚の下に埋め込んで使用される皮下埋め込み型ポートであり、シリコーンゴム製のセプタムにヒューバー針を穿刺して患者に薬剤を投与する。このCVポートを使用する治療では、例えば上腕部にCVポートを埋め込むことにより、従来の点滴とは異なり血管を傷めることが無く、腕の曲げ伸ばしが可能である等のメリットを有する。
【０００３】
しかしながら、CVポートに差し込まれるヒューバー針は、CVポートのセプタムを切削しないように針先端が少し折れ曲がった特殊な構造を有している。このヒューバー針の特殊な構造と、リコーンゴム製であるセプタムの特性とにより、CVポートに差し込まれたヒューバー針を抜き取る際に強い力を込めることになり、そのため針が抜けた際の反作用により、CVポートを押さえている手等を針刺ししてしまう事故が発生する虞がある。
【０００４】
また、CVポートを使用する点滴の終了後に、患者自身が一人でヒューバー針を抜き取る場合もあるが、患者一人での操作は片手操作になるために、抜針が難しく、患者自身を針刺しする危険がある。
【０００５】
このような針刺し事故を防止するため、特許文献１には、尖った先端を有する針と、回動ピンを介して針に取り付けられたウィングとを備え、ウィングは、回転して折り畳むことにより針の先端への接触を防ぐことができるヒューバー針が記載されている。
【０００６】
しかしながら、上記ヒューバー針は、ウイングには自重で落下する十分な重量が必要であるため、ヒューバー針を患者に穿刺中に、そのウイングが患者を圧迫する問題点を有する。
【０００７】
一方、特許文献２には、先端保護部を有するヒューバー針が記載されており、その先端保護部は、固定部に対し、ヒンジ部を介して回転するとともに、針の基端部に設けられた第一開口部と、針の先端側に設けられた第二開口部とを備えて、針先が撓む機構を有している。そして、使用前の状態において、針が、先端保護部の第一開口部から先端保護部に入り、第二開口部から抜け出た状態であり、一方、使用後において、該先端保護部が該針の先端を保護する位置に移動した際に、機構により針先が撓んで、該針先が第二開口部から移動して該先端保護部の内側に針先が収納されることにより、該針の先端が保護される。
【０００８】
しかしながら、上記のヒューバー針は、構造が複雑であると共に部品点数的にも不利である。
【先行技術文献】
【特許文献】
【０００９】
【特許文献１】特表２００４−５１０５５５号公報
【特許文献２】特開２０１２−０１６６２９号公報
【発明の概要】
【発明が解決しようとする課題】
【００１０】
本発明はかかる問題点に鑑みてなされたものであって、簡易な構造で、使い易く、且つ穿刺事故を確実に防止することができるヒューバー針抜取補助具を提供することを目的とする。
【課題を解決するための手段】
【００１１】
本発明にかかるヒューバー針抜取補助具は、針基部及び穿刺部からなる略Ｌ字型注射針と、前記針基部の略平行且つ前記穿刺部の略垂直方向に前記針基部の両側に張り出して前記針基部に設けられ、前記穿刺部を患者の皮膚に差し入れる使用時に前記患者の皮膚に接する折りたたみ可能な一対の羽根部材であるウイングと、を備えるヒューバー針を、患者の皮膚から抜き取る際に使用するヒューバー針抜取補助具であって、略四角形状部材であり、第１方向の一方の端辺の略中央部に切込部を備えており、針刺し状態の穿刺部が前記切込部に差し込まれると前記ウイングの下側に位置する下敷板と、前記下敷板の第１方向の他方の端辺に一定の間隔をあけて設けられた一対の板状部材であり、前記他方の端辺を谷折線として各々の板状部材を谷折りすると前記一対の板状部材が各々前記ウイングの上側に位置する上覆板と、を備え、前記下敷板は、前記切込部の延長線上にある山折線を備えており、前記下敷板において、前記山折線から四角形の第２方向の端辺までの長さは、前記穿刺部の長さよりも長く規定されており、一対の板状部材が各々前記ウイングの上側に位置するように前記谷折線で折り畳まれた状態で、前記穿刺部を覆うように前記山折線にて前記下敷板を山折りしながら、前記穿刺部を患者の皮膚から抜き取ることを特徴とする。
【発明の効果】
【００１２】
本発明によれば、簡易な構造で、使い易く、片手での使用も可能であることから、患者自身や医療従事者による抜針が容易となり、且つ穿刺事故を確実に防止することができる。
【図面の簡単な説明】
【００１３】
【図１】本実施形態にかかるヒューバー針抜取補助具の平面図である。
【図２】本実施形態にかかるヒューバー針抜取補助具を使用して患者の皮膚から抜きとられるヒューバー針の概略図である。
【図３】ヒューバー針抜取補助具の下敷板の切込部に、穿刺部を差し込む状態を説明する図である。
【図４】谷折線で上覆板の谷折りを完了した状態を説明する図である。
【図５】山折線で下覆板を山折りする状態を説明する図である。
【発明を実施するための形態】
【００１４】
以下、添付の図面を参照して本発明の実施形態について具体的に説明するが、当該実施形態は本発明の原理の理解を容易にするためのものであり、本発明の範囲は、下記の実施形態に限られるものではなく、当業者が以下の実施形態の構成を適宜置換した他の実施形態も、本発明の範囲に含まれる。
【００１５】
図１は、本実施形態にかかるヒューバー針抜取補助具の平面図である。図１に示されるように、ヒューバー針抜取補助具９００は、略四角形状部材である下敷板１００と、一対の板状部材である上覆板２００ａ，ｂとを備えている。下敷板１００は、例えば５ｃｍ×５ｃｍとすることができる。上覆板２００ａ，ｂは、例えば５ｃｍ×２．４ｃｍとすることができる。このように、下敷板１００の第２方向の端辺の長さと、上覆板２００ａ，ｂの第２方向の端辺の長さとは、例えば同じ長さに設定することができる。第２方向とは、例えば、図１において、左右方向、即ち、横方向である。第２方向の端辺とは、横方向の端にある辺である。
【００１６】
上覆板２００ａ，ｂを谷折りすると、下敷板１００と上覆板２００ａ，ｂとが第１方向の端辺において重なる。第１方向とは、例えば、図１において、上下方向、即ち、縦方向である。第１方向の端辺とは、縦方向の端にある辺である。後述する図４に示されるように、下敷板１００の上側の端辺と、上覆板２００ａ，ｂの下側の端辺と、が重なる。これにより、折り畳んだ形状をコンパクトにすることができる。
【００１７】
下敷板１００は、第１方向の一方の端辺の略中央部に切込部１１０を備えている。切込部１１０は、コ字状の切り込みである。切込部１１０は、例えば切り込みの長さを２ｃｍ、切り込みの幅を０．２ｃｍとすることができる。切込部１１０がコ字状の切り込みの形状の場合、切り込みの幅が一定であるため、切込部１１０内での穿刺部６２０の移動がブレにくい。なお、切込部１１０はコ字状に限定されず、Ｖ字状とすることも可能であり、かかる場合は切り込みの入り口が幅広に形成されているため、穿刺部６２０を切込部１１０へ案内しやすい。
【００１８】
上覆板２００ａ，ｂは、下敷板１００の第１方向の他方の端辺に、一定の間隔をあけて設けられている。上覆板２００ａと２００ｂとの間隙には、後述するように、上覆板２００ａ，ｂを谷折りする際に点滴チューブが通過する。下敷板１００は、切込部１１０の延長線上に山折線１２０が設けられている。下敷板１００の第１方向の他方の端辺には谷折線１３０が設けられている。
【００１９】
図２は、本実施形態にかかるヒューバー針抜取補助具を使用して患者の皮膚から抜きとられるヒューバー針の概略図である。図２に示されるように、ヒューバー針８００は、略Ｌ字型注射針６００と折りたたみ可能な一対の羽根部材であるウイング７００とを備える。
【００２０】
略Ｌ字型注射針６００は、針基部６１０及び穿刺部６２０からなる。ウイング７００は、針基部６１０の略平行且つ穿刺部６２０の略垂直方向に、針基部６１０の両側に張り出して設けられている。ウイング７００は、穿刺部６２０を患者の皮膚に差し入れる使用時に、患者の皮膚に接する。針基部６１０には一部が図示されている点滴チューブが取り付けられている。
【００２１】
図１に示される下敷板１００において、山折線１２０から四角形の第２方向の端辺までの長さをｘとすると、この長さｘは穿刺部６２０の長さｙよりも長く規定されている。
【００２２】
次に、上述のヒューバー針抜取補助具９００を使用して、患者の皮膚に穿刺されたヒューバー針８００を抜き取る使用態様について説明する。
【００２３】
図３は、ヒューバー針抜取補助具９００の下敷板１００の切込部１１０に、穿刺部６２０を差し込む状態を説明する図である。図３に示されるように、まずは、患者の皮膚に針刺している状態の穿刺部６２０を、下敷板１００の切込部１１０に差し込む。これにより、ヒューバー針抜取補助具９００の下敷板１００は、ウイング７００の下側に位置する。そして、上覆板２００ａ，ｂについて谷折線１３０で谷折りを始める。なお、谷折りとは、谷折線が内側に隠れてしまうように折ることである。
【００２４】
図４は、谷折線１３０で上覆板２００ａ，ｂの谷折りを完了した状態を説明する図である。図４に示されるように、各々の上覆板２００ａ，ｂの谷折りが完了すると、上覆板２００ａ，ｂが各々ウイング７００の上側に位置する。谷折線１３０で上覆板２００ａ，ｂを谷折りする際に、針基部６１０に取り付けられた一部が図示されている点滴チューブが上覆板２００ａ，ｂの間隙を通過する。
【００２５】
図５は、山折線１２０で下覆板１００を山折りする状態を説明する図である。図５に示されるように、上覆板２００ａ，ｂが谷折線１３０で折り畳まれてウイング７００の上側に位置している状態で、穿刺部６２０を覆うように山折線１２０にてウイング７００を折り畳みながら下敷板１００を山折りする。下敷板１００の山折りは、例えば片手の親指と人差し指で摘まむように行うことができる。なお、山折りとは、山折線１２０が外側に曝されるように折ることである。かかる場合、山折線１２０から端辺までの長さｘが、穿刺部６２０の長さｙよりも長く規定されているから、下覆板１００で穿刺部６２０を完全に覆うことができ、これにより穿刺事故を確実に防止することができる。また、下敷板１００を例えば片手の親指と人差し指で摘まむように山折りして、穿刺部６２０を抜き取るので、簡易な動作にてヒューバー針８００を患者の皮膚からに抜き取ることができる。
【産業上の利用可能性】
【００２６】
ヒューバー針を抜き取る際に利用できる。
【符号の説明】
【００２７】
１００：下敷板
１１０：切込部
１２０：山折線
１３０：谷折線
２００ａ，ｂ：上覆板
６００：略Ｌ字型注射針
６１０：針基部
６２０：穿刺部
７００：ウイング
８００：ヒューバー針
９００：ヒューバー針抜取補助具
【図１】
2014233537.tif 000003
【図２】
2014233537.tif 000004
【図３】
2014233537.tif 000005
【図４】
2014233537.tif 000006
【図５】
2014233537.tif 000007